(57)【要約】【課題】  肩等を保護する部分を身体にフィットさせることのできる着用式肩パッドを提供する。【解決手段】  本体部１１を、背中被覆部１１ａと左肩被覆部１１ｂと右肩被覆部１１ｃと左胸被覆部１１ｄと右胸被覆部１１ｅとで構成し、左胸被覆部１１ｄの下縁部及び右胸被覆部１１ｅの下縁部にベルト通し用鞘部１７を形成するとともに、締付ベルト１２を、基端側を背中被覆部１１ａの下縁中央部に固着され、左胸被覆部１１ｄのベルト通し用鞘部１７ｃを通り、左胸被覆部１１ｄの下縁部右端側から突き出た状態に設けられる左側締付ベルト１２ａと、基端側を背中被覆部１１ａの下縁中央部に固着され、右胸被覆部１１ｅのベルト通し用鞘部１７ｄを通り、右胸被覆部１１ｅの下縁部左端側から突き出た状態に設けられる右側締付ベルト１２ｂとで構成し、左側締付ベルト１２ａと右側締付ベルト１２ｂの先端側を長さ調節可能な状態で連結するベルト連結手段２２を設けた。【選択図】  図５
2020133070.tif 000002
【特許請求の範囲】
【請求項１】
着用者の身体における少なくとも肩部をクッション素材で覆って保護する本体部と、
本体部の締め付けを行う締付ベルトと
を備えた着用式肩パッドであって、
本体部が、
着用者の背中上部を覆う背中被覆部と、
背中被覆部の上縁部左端側に延設されて着用者の左肩部を覆う左肩被覆部と、
背中被覆部の上縁部右端側に延設されて着用者の右肩部を覆う右肩被覆部と、
左肩被覆部の前縁側に延設されて着用者の左胸部を覆う左胸被覆部と、
右肩被覆部の前縁側に延設されて着用者の左右胸部を覆う右胸被覆部と
で構成されて、
左胸被覆部の下縁部及び右胸被覆部の下縁部に、締付ベルトを通すためのベルト通し用鞘部がそれぞれ形成されるとともに、
締付ベルトが、
基端側を背中被覆部の下縁中央部に固着され、背中被覆部の下縁部左端側と着用者の左脇下とを経て、左胸被覆部のベルト通し用鞘部を通り、左胸被覆部の下縁部右端側から先端側が突き出た状態に設けられる左側締付ベルトと、
基端側を背中被覆部の下縁中央部に固着され、背中被覆部の下縁部右端側と着用者の右脇下とを経て、右胸被覆部のベルト通し用鞘部を通り、右胸被覆部の下縁部左端側から先端側が突き出た状態に設けられる右側締付ベルトと
で構成され、
左側締付ベルトの先端側と右側締付ベルトの先端側とを、左側締付ベルト及び右側締付ベルトの長さを調節可能な状態で連結するベルト連結手段が設けられた
ことを特徴とする着用式肩パッド。
【請求項２】
左側締付ベルトと右側締付ベルトとが連続する１本のベルトによって形成された請求項１記載の着用式肩パッド。
【請求項３】
背中被覆部の下縁部左端側及び下縁部右端側、並びに、左胸被覆部の下縁部左端側及び右胸被覆部の下縁部右端側に、締付ベルトをガイドするためのガイドリングが設けられた請求項１又は２記載の着用式肩パッド。
【請求項４】
背中被覆部の下縁部における左側区間及び右側区間にも、締付ベルトを通すためのベルト通し用鞘部が設けられた請求項１〜３いずれか記載の着用式肩パッド。
【請求項５】
ベルト連結手段が両引きタイプのリリースバックルとされた請求項１〜４いずれか記載の着用式肩パッド。
【請求項６】
左胸被覆部の右側縁部及び右胸被覆部の左側縁部がストレート状に形成された請求項１〜５いずれか記載の着用式肩パッド。
【発明の詳細な説明】
【技術分野】
【０００１】
本発明は、着用者の身体における肩部をクッション素材で覆って保護する着用式肩パッドに関する。
【背景技術】
【０００２】
宅配便の配達員や工事現場の作業員は、重い荷物を肩の上に担いで運ぶことが多い。このため、配達員や作業員は、肩を痛めることや、肩にアザができることが多く、肩にまつわる職業病に頭を悩ませている。また、配達員や作業員に限らず、祭で神輿を担ぐ場合や、重い荷物を入れたリュックやランドセルを背負う場合や、重い荷物を入れたカバンを肩から掛ける場合や、スポーツを行う場合（例えば、ラグビーやアメリカンフットボールでタックルをする場合等）でも、肩に負荷がかかる。
【０００３】
この点、これまでには、必要なときにのみ身体に着用して肩を保護できるようにした着用式肩パッド（例えば、特許文献１の図１における「肩当てパッド１」を参照。）が提案されている。この種の着用式肩パッドは、通常、着用者の身体における肩部等を覆って保護する本体部（特許文献１の肩当てパッドでは同文献の図１における「パッド体２」）と、本体部を身体に取り付けるためのベルト状の部材（特許文献１の肩当てパッドでは同文献の図１における「弾性帯状バンド３」）とを備えている。
【０００４】
しかし、特許文献１の肩当てパッドを含めて、従来の着用式肩パッドは、身体に取り付けた後に本体部が所望の位置からずれ動いてしまい、肩等の目的の箇所を本体部で保護できない状態となりやすかった。このため、従来の着用式肩パッドは、本体部がずれ動くたびに本体部の位置を直さなければならない等、必ずしも快適に使用できるものとはなっていなかった。
【０００５】
この点、これまでには、特許文献２の図１における「スポーツ用衣服Ａ」のように、着用者の肩を覆う部分に肩保護部（同図における「肩パット５」を参照。）を設けた衣服も提案されている。このように肩保護部を設けた衣服は、上述した特許文献１の肩当てパッド等と比較して、肩保護部がずれ動きにくいという利点を有している。
【０００６】
しかし、肩保護部を設けた衣服は、肩保護部が着用者の身体から浮き上がる可能性があるため、それでもなお、肩保護部がずれ動く可能性を否定できない。また、肩保護部を設けた衣服は、その衣服を洗濯等しているとき等には、肩を保護できないという欠点を有している。加えて、衣服自体のデザインが制約されるという欠点も有している。したがって、肩保護部を設けた衣服は、洗濯時の予備や用途等に応じて何枚か容易しておく必要がある。
【先行技術文献】
【特許文献】
【０００７】
【特許文献１】特開２００４−１７６２３７号公報
【特許文献２】実用新案登録第３１０００６９号公報
【発明の概要】
【発明が解決しようとする課題】
【０００８】
本発明は、上記課題を解決するために為されたものであり、肩等を保護する必要があるときにのみ衣服の上から又は衣服の下に着用できる着用式肩パッドにおいて、肩等を保護する部分を着用者の身体に対してずれ動かないようにフィットさせ、所望の箇所を確実に保護できるようにすることを目的とする。
【課題を解決するための手段】
【０００９】
上記課題は、
着用者の身体における少なくとも肩部をクッション素材で覆って保護する本体部と、
本体部の締め付けを行う締付ベルトと
を備えた着用式肩パッドであって、
本体部が、
着用者の背中上部を覆う背中被覆部と、
背中被覆部の上縁部左端側に延設されて着用者の左肩部を覆う左肩被覆部と、
背中被覆部の上縁部右端側に延設されて着用者の右肩部を覆う右肩被覆部と、
左肩被覆部の前縁側に延設されて着用者の左胸部を覆う左胸被覆部と、
右肩被覆部の前縁側に延設されて着用者の左右胸部を覆う右胸被覆部と
で構成されて、
左胸被覆部の下縁部及び右胸被覆部の下縁部に、締付ベルトを通すためのベルト通し用鞘部がそれぞれ形成されるとともに、
締付ベルトが、
基端側を背中被覆部の下縁中央部に固着され、背中被覆部の下縁部左端側と着用者の左脇下とを経て、左胸被覆部のベルト通し用鞘部を通り、左胸被覆部の下縁部右端側から先端側が突き出た状態に設けられる左側締付ベルトと、
基端側を背中被覆部の下縁中央部に固着され、背中被覆部の下縁部右端側と着用者の右脇下とを経て、右胸被覆部のベルト通し用鞘部を通り、右胸被覆部の下縁部左端側から先端側が突き出た状態に設けられる右側締付ベルトと
で構成され、
左側締付ベルトの先端側と右側締付ベルトの先端側とを、左側締付ベルト及び右側締付ベルトの長さを調節可能な状態で連結するベルト連結手段が設けられた
ことを特徴とする着用式肩パッド
を提供することによって解決される。
【００１０】
本発明の着用式肩パッドは、着用者の身体を覆う本体部が、左肩被覆部（左肩を保護する部分）や右肩被覆部（右肩を保護する部分）だけで形成されているのではなく、それに背中被覆部や左胸被覆部や右胸被覆部が連なった形態を有するものとなっており、背中被覆部と右胸被覆部と左胸被覆部との下縁部に締付ベルトを掛け回して締め付けて着用するものとなっている。また、左側締付ベルト及び右側締付ベルトは、その基端部を本体部の背中被覆部に固着されているため、いずれか一方の締付ベルトを強く引っ張っても、他方の締付ベルトが前記一方の締付ベルト側へ寄らない構造となっており、左側締付ベルトと右側締付ベルトとの締付バランスを均等に保ちやすくなっている。このため、本発明の着用式肩パッドでは、本体部を着用者の身体に密着させ、本体部が身体から浮き上がらない状態で着用することができ、本体部における左肩被覆部や右肩被覆部が着用者の身体に対してずれ動きにくくして、肩等の所望の箇所を確実に保護することが可能となっている。
【００１１】
本発明の着用式肩パッドにおいて、左側締付ベルトと右側締付ベルトは、それぞれの基端部が本体部における下縁中央部に固着されたものであれば特に限定されない。左側締付ベルトと右側締付ベルトは、互いに分断された別のベルトによって形成されたものであってもよい。しかし、左側締付ベルトと右側締付ベルトは、連続する１本のベルトによって形成することが好ましい。これにより、左側締付ベルトと右側締付ベルトとを強い力で引っ張って締め付けたとしても、左側締付ベルトの基端部と本体部の背中被覆部との固着部分や、右側締付ベルトの基端部と本体部の背中被覆部との固着部分が切れたり、左側締付ベルトや右側締付ベルトが切断されたりしにくくすることが可能になる。
【００１２】
本発明の着用式肩パッドにおいては、背中被覆部の下縁部左端側及び下縁部右端側、並びに、左胸被覆部の下縁部左端側及び右胸被覆部の下縁部右端側に、締付ベルトをガイドするためのガイドリングを設けることも好ましい。これにより、左側締付ベルトや右側締付ベルトを締め付けるときの力が、本体部ではなく、ガイドリングに加わるようにして、本体部がダメージを受けにくくすることが可能になる。特に、左側締付ベルトや右側締付ベルトを締め付ける際の力が、左胸被覆部や右胸被覆部におけるベルト通し用鞘部の端部や、後述する背中被覆部におけるベルト通し用鞘部の端部に加わることがあると、これらのベルト通し用鞘部が破れる虞があるところ、上記のガイドリングを設けることによって、ベルト通し用鞘部に無理な力が加わらないようにして、ベルト通し用鞘部の破れを防止することも可能になる。さらに、ベルト通し用鞘部に無理な力が加わらないようにすることによって、左側締付ベルトや右側締付ベルトがベルト通し用鞘部の内部をスムーズに動くようにすることができる。
【００１３】
既に述べたように、本発明の着用式肩パッドでは、ベルト通し用鞘部を、左胸被覆部の下縁部及び右胸被覆部の下縁部に設けている。これらのベルト通し用鞘部は、左側締付ベルト及び右側締付ベルトに加えられた締付力が左胸被覆部及び右胸被覆部における所望の箇所（下縁部）に加わるようにするための部分となっている。この点、背中被覆部の下縁部における左側区間及び右側区間にも、締付ベルトを通すためのベルト通し用鞘部を設けることが好ましい。これにより、左側締付ベルト及び右側締付ベルトの締付力が、背中被覆部の下縁中央部（左側締付ベルト及び右側締付ベルトが固着された部分）だけでなく、背中被覆部の下縁に沿った略全区間に加わるようにして、背中被覆部の略全体を着用者の背中に密着させることが可能になる。
【００１４】
本発明の着用式肩パッドにおいて、ベルト連結手段は、左側締付ベルトの先端側と右側締付ベルトの先端側とを、左側締付ベルト及び右側締付ベルトの長さを調節可能な状態で連結できるものであれば、特に限定されない。このようなベルト連結手段としては、両引きタイプのリリースバックルが例示される。両引きタイプのリリースバックルについては、後で詳しく説明する。
【００１５】
本発明の着用式肩パッドにおいて、左胸被覆部の右側縁部と右胸被覆部の左側縁部とは、着用時に互いに突き当たる構造としてもよいが、この場合には、その突き当りによって左胸被覆部や右胸被覆部が着用者の身体から浮き上がるおそれがある。このため、着用式肩パッドを着用したときには、左胸被覆部の右側縁部と右胸被覆部の左側縁部とが突き当らないようにすることが好ましい。具体的には、左胸被覆部の右側縁部及び右胸被覆部の左側縁部を、内方に膨出させるのではなく、ストレート状に形成することが好ましい。
【発明の効果】
【００１６】
以上のように、本発明によって、肩等を保護する必要があるときにのみ衣服の上から又は衣服の下に着用できる着用式肩パッドにおいて、肩等を保護する部分を着用者の身体に対してずれ動かないようにフィットさせ、所望の箇所を確実に保護することが可能になる。
【図面の簡単な説明】
【００１７】
【図１】本発明の着用式肩パッドを着用した状態を着用者の身体の正面側（胸側）から見た状態を示した図である。
【図２】本発明の着用式肩パッドを着用した状態を着用者の身体の背面側（背中側）から見た状態を示した図である。
【図３】本発明の着用式肩パッドにおける本体部を切断した状態を示した断面図である。
【図４】本発明の着用式肩パッドを展開した状態を示した図であって、本体部のオモテ面側（外面側）を示した図である。
【図５】本発明の着用式肩パッドを展開した状態を示した図であって、本体部のウラ面側（内面側）を示した図である。
【図６】本発明の着用式肩パッドにおけるベルト連結手段の一例を示した図である。
【発明を実施するための形態】
【００１８】
［着用式肩パッド］
本発明の着用式肩パッドの好適な実施態様について、図面を用いてより具体的に説明する。図１は、本発明の着用式肩パッド１０を着用した状態を着用者５０の身体の正面側（胸側）から見た状態を示した図である。図２は、本発明の着用式肩パッド１０を着用した状態を着用者５０の身体の背面側（背中側）から見た状態を示した図である。図３は、本発明の着用式肩パッド１０における本体部１１を切断した状態を示した断面図である。
【００１９】
以下の説明においては、「左」及び「右」という語を用いているが、説明文中における「左」及び「右」という語は、それぞれ、着用者から見て「左」及び「右」を指している。このため、着用者５０を背面側から見た図２では、説明文中の左右と紙面の左右とが一致するものの、着用者５０を正面側から見た図１では、説明文中の左右と紙面の左右とが逆になるため、注意されたい。後掲する図３〜６のうち、図４及び図６も、説明文中の左右と紙面の左右が逆になっている。
【００２０】
本発明の着用式肩パッド１０は、図１及び図２に示すように、着用者の上半身における肩部付近に着用して使用するものとなっている。この着用式肩パッド１０は、着用者５０の身体を覆う本体部１１と、本体部１１の締め付けを行う締付ベルト１２とを備えている。図３に示すように、本体部１１における少なくとも着用者５０の肩を覆う部分（後述する左肩被覆部１１ｂ及び右肩被覆部１１ｃ）には、クッション素材１３が設けられている。以下、本発明の着用式肩パッド１０を構成する各部材について詳しく説明する。
【００２１】
［本体部］
まず、本体部１１について説明する。本体部１１は、着用者５０の身体に宛がわれる部分となっている。この本体部１１は、着用者５０の背中上部を覆う背中被覆部１１ａ（図２）と、着用者５０の左肩部を覆う左肩被覆部１１ｂと、着用者５０の右肩部を覆う右肩被覆部１１ｃと、着用者５０の左胸部を覆う左胸被覆部１１ｄ（図１）と、着用者５０の左右胸部を覆う右胸被覆部１１ｅ（図１）とを備えている。左肩被覆部１１ｂは、背中被覆部１１ａの上縁部左端側に延設されている。右肩被覆部１１ｃは、背中被覆部１１ａの上縁部右端側に延設されている。左胸被覆部１１ｄは、左肩被覆部１１ｂの前縁側に延設されている。右胸被覆部１１ｅは、右肩被覆部１１ｃの前縁側に延設されている。
【００２２】
このように、本体部１１で、着用者５０の肩だけでなく、その周囲の背中上部や左胸や右胸も覆うようにすることによって、着用者５０の身体に対して本体部１１をより広い面積で密着させることができるようになる。このため、着用者５０の身体に対して本体部１１がズレ動かないようにすることが可能となっている。背中被覆部１１ａと、左肩被覆部１１ｂと、右肩被覆部１１ｃと、左胸被覆部１１ｄと、右胸被覆部１１ｅは、それぞれ別部材からなるものを事後的に繋ぎ合わせたものであってもよいが、本実施態様においては、予め一体的に繋げられている。
【００２３】
本体部１１における左胸被覆部１１ｄの右側縁部と右胸被覆部１１ｅの左側縁部は、略ストレート状に形成している。このため、着用式肩パッド１０を着用し、締付ベルト１２を締め付けた場合であっても、左胸被覆部１１ｄの右側縁部と右胸被覆部１１ｅの右側縁部とが突き当らないようになっている。締付ベルト１２を締め付けたときに、左胸被覆部１１ｄの右側縁部と右胸被覆部１１ｅの左側縁部とが突き当ると、左胸被覆部１１ｄや右胸被覆部１１ｅがせり上がり、本体部１１が着用者の身体から浮き上がるおそれがあるところ、左胸被覆部１１ｄの右側縁部と右胸被覆部１１ｅの左側縁部を略ストレート状に形成することで、そのような不具合の発生を抑えることができる。
【００２４】
既に述べたように、本体部１１のうち、着用者５０の肩を覆う部分（左肩被覆部１１ｂ及び右肩被覆部１１ｃ）には、クッション素材１３（図３）が設けられており、荷物を肩の上に担ぐ場合等に、その荷物から着用者５０の肩に加わる感触や力をクッション素材１３で緩和できるようになっている。クッション素材１３は、ある程度厚みを有する形態とされる。クッション素材１３の厚さは、通常、２〜１５ｍｍ程度、好ましくは、３〜１０ｍｍ程度とされる。
【００２５】
クッション素材１３は、左肩被覆部１１ｂと右肩被覆部１１ｃに設けられていれば、本体部１１における他の部分（背中被覆部１１ａや左胸被覆部１１ｄや右胸被覆部１１ｅ）には、特に設ける必要はない。ただし、本実施態様においては、左肩被覆部１１ｂと右肩被覆部１１ｃだけでなく、本体部１１における他の部分（背中被覆部１１ａや左胸被覆部１１ｄや右胸被覆部１１ｅ）にもクッション素材１３を設けている。換言すると、本体部１１の略全体にクッション素材１３を設けている。これにより、着用者５０の左肩や右肩を覆う部分だけでなく、背中上部や左胸付近や右胸付近も衝撃等から保護することができるようになっている。
【００２６】
クッション素材１３は、クッション性を有するものであれば、その種類を特に限定されない。クッション素材１３としては、樹脂の発泡体等やゴム等の各種の弾性材料を用いることができる。本実施態様においては、クッション素材１３としてポリエステルの発泡体（ネオプレーンクッション）を用いている。ポリエステルの発泡体は、軽量でありながらも、緩衝性に優れており、上記のクッション素材１３として好適に採用することができる。特に、ネオプレーンクッションは、優れた緩衝性を有していることに加えて、軽量でありながらも優れた強さを有している。加えて、ネオプレーンクッションは、水分を吸収しにくいため、汗を掻いても臭くなりにくいだけでなく、洗濯等で水に濡らしても乾きやすいという利点も有している。クッション素材１３としては、冷感作用や発熱作用を有するものを用いることもできる。また、クッション素材１３には、そのクッション性を阻害しない範囲で、磁性体や、遠赤外線効果を奏する物質を内包（粉状態を練り込む態様をも含む。）したものとすることもできる。これにより、クッション素材１３に血行促進作用を発揮させ、着用者の肩コリを軽減等することも可能になる。
【００２７】
クッション素材１３を本体部１１にどのように設けるか（本体部１１を構成する生地に対するクッション素材１３の固着方法）は、特に限定されない。クッション素材は、本体部１１を構成する生地（以下、「本体部構成生地」と表記することがある。）の外面又は内面に露出する状態で固着（接着や縫着等）することもできる。しかし、この場合には、クッション素材１３が損傷を受けやすくなるし、本体部構成生地に対してクッション素材１３を接着等しただけであると、着用式肩パッド１０の使用や洗濯等を重ねるうちに、クッション素材１３が本体部構成生地から剥がれ落ちるおそれがある。
【００２８】
このため、本実施態様においては、図３に示されるように、クッション素材１３を本体部１１に内包した状態としている。具体的には、本体部１１の表地１４と裏地１５との間にクッション素材１３が挟みこまれた状態となるようにしている。すなわち、表地１４とクッション素材１３と裏地１５とをこの順に重ね合わせ、表地１４と裏地１５とを互いに縫着することで本体部１１にクッション素材１３を内包した状態としている。表地１４と裏地１５の端部には、パイピング処理部１６を設けている。これにより、クッション素材１３を本体部１１に対して位置ずれしないように、強固に設けることが可能となっている。また、クッション素材１３を本体部１１に対して容易に一体化させることも可能となっている。
【００２９】
本体部１１の表地１４に使用する素材は、特に限定されない。しかし、本体部１１の表地１４を薄手の生地で形成すると、クッション素材１３がダメージを受けやすくなる。また、表地１４自体も破れるおそれがある。このため、本体部１１の表地１４としては、厚みをある程度有し、強度が高い生地で形成することが好ましい。このような生地としては、太い（３００デニール以上）合成樹脂繊維（ナイロン繊維等）からなる織地を例示することができる。
【００３０】
本実施態様においては、コーデュラ（登録商標）生地を本体部１１の表地１４として使用している。コーデュラ（登録商標）生地は、５００デニール以上又は１０００デニール以上のナイロン糸を目の詰まった状態に織製した生地となっている。ナイロン糸には、綿糸等の他の糸も混ぜられる場合がある。コーデュラ（登録商標）は、軽量でありながらも、耐引裂性や耐摩耗性や対水性等に優れており、本発明の着用式肩パッド１０の本体部１１の表地１４として好適に使用することができる。このほか、バリスティックナイロン等も本体部１１の表地１４として好適に用いることができる。
【００３１】
本体部１１の裏地１５に使用する素材も、特に限定されない。しかし、本体部１１の裏地１５を通気性の悪い素材で形成すると、着用者５０の身体における本体部１１で覆われた部分が汗等で蒸れやすくなる等して、着用式肩パッド１０の着心地が悪くなる虞がある。このため、本体部１１の裏地１５は、通気性が良好な生地で形成することが好ましい。このような生地としては、メッシュ素材が例示される。既に述べたように、本実施態様においては、クッション素材１３をポリエステルの発泡体（通気孔となり得る発泡孔を有する素材）で形成したところ、本体部１１の裏地１５をメッシュ素材で形成すれば、着用者５０の身体における本体部１１で覆われた部分を蒸れにくくすることができる。本実施態様においては、本体部１１の裏地１５として、伸縮性を有するストレッチメッシュを用いている。
【００３２】
図４は、本発明の着用式肩パッド１０を展開した状態を示した図であって、本体部１１のオモテ面側（外面側）を示した図である。図５は、本発明の着用式肩パッド１０を展開した状態を示した図であって、本体部１１のウラ面側（内面側）を示した図である。本体部１１には、図５に示すように、締付ベルト１２を通すためのベルト通し用鞘部１７を設けている。本実施態様においては、背中被覆部１１ａの下縁部における左側区間及び右側区間と、左胸被覆部１１ｄの下縁部と、右胸被覆部１１ｅの下縁部との計４箇所にベルト通し用鞘部１７（ベルト通し用鞘部１７ａ，１７ｂ，１７ｃ，１７ｄ）を設けている。背中被覆部１１ａにおける左右のベルト通し用鞘部１７ａ，１７ｂは、それぞれ、背中被覆部１１ａの左端部及び右端部に近い箇所に形成している。
【００３３】
これらのベルト通し用鞘部１７によって、締付ベルト１２に加えられた締付力が本体部１１における所望の箇所に加わるようにし、締付ベルト１２を締め付けた際に、背中被覆部１１ａの下縁部と、左胸被覆部１１ｄの下縁部と、右胸被覆部１１ｅの下縁部に沿った箇所とが確実に締め付けられるようになっている。このため、直用者５０の身体に本体部１１をフィットさせ、着用者５０の身体から本体部１１が浮き上がらないようにすることができるようになっている。したがって、本体部１１における各部（背中被覆部１１ａ、左肩被覆部１１ｂ、右肩被覆部１１ｃ、左胸被覆部１１ｄ及び右胸被覆部１１ｅ）が着用者５０の身体に対してずれ動かないようにすることが可能となっている。
【００３４】
ベルト通し用鞘部１７は、本体部１１のオモテ面側（外面側）に設けてもよいが、この場合には、本体部１１の外観が悪くなるおそれがある。このため、本実施態様においては、本体部１１のウラ面側（内面側）にベルト通し用鞘部１７を設けている。ベルト通し用鞘部１７は、本体部構成生地（裏地１５等）に切込を設けることによって形成し、締付ベルト１２が本体部１１の内部を通るようにしてもよいが、この場合には、締付ベルト１２がベルト通し用鞘部１７をスムーズに動かなくなるだけでなく、本体部構成生地における切込が形成された箇所が裂けるおそれもある。このため、本実施態様においては、本体部１１の裏地１５に生地（４０ｍｍ×４０ｍｍのゴムテープ）を縫着することによってベルト通し用鞘部１７を形成している。
【００３５】
ただし、締付ベルト１２を締め付けるために引っ張ると、締付ベルト１２からベルト通し用鞘部１７に無理な力が加わり、本体部１１やベルト通し用鞘部１７が破損するおそれや、締付ベルト１２がベルト通し用鞘部１７内をスムーズに動かなくなるおそれがある。この点、本実施態様においては、図５に示すように、本体部１１におけるベルト通し用鞘部１７の近傍に、締付ベルト１２をガイドするためのガイドリング１８を設けている。具体的には、背中被覆部１１ａの下縁部左端側及び下縁部右端側、並びに、左胸被覆部１１ｄの縁部左端側及び右胸被覆部１１ｅの下縁部右端側にガイドリング１８（ガイドリング１８ａ，１８ｂ，１８ｃ，１８ｄ）を設けている。
【００３６】
このように、本体部１１にガイドリング１８を設けることにより、ベルト通し用鞘部１７に無理な力が加わらないようにして、本体部１１やベルト通し用鞘部１７の破損を防止することや、締付ベルト１２がベルト通し用鞘部１７の内部をスムーズに動くようにすることが可能となっている。ガイドリング１８は、ある程度硬質な環状のものであれば、その素材を特に限定されない。本実施態様においては、金属製のＤ環をガイドリング１８として用いている。
【００３７】
その他、本実施態様においては、着用式肩パッド１０の利便性や安全性を高めるための各種の工夫を本体部１１に施している。
【００３８】
例えば、図４に示すように、左胸被覆部１１ｄ及び右胸被覆部１１ｅのオモテ面側（外面側）には、外ポケット１８を形成しており、この外ポケット１８に小物等を収容することができるようにしている。外ポケット１８は、左胸被覆部１１ｄ及び右胸被覆部１１ｅのオモテ面側（外面側）に、上述したストレッチメッシュを縫着することによって形成している。
【００３９】
また、左右の外ポケット１８のやや上側には、ループ１９を形成しており、このループ１９にペン等を挿した状態で収容することができるようにしている。ループ１９は、それに挿したペン等の先端部を外ポケット１８に収めることができる位置に設けている。ループ１９を形成する素材は、特に限定されない。本実施態様においては、グログラン（固く密に織られた緯畝のある織物）からなる幅２５ｍｍの帯材の両端部を本体部１１のオモテ面側（外面側）に縫着することによって、ループ１９を形成している。
【００４０】
さらに、本体部１１のオモテ面側（外面側）には、光反射部２０を設けている。これにより、夜間時等において車のライト等が光反射部２０で反射するようにすることで、着用者５０の視認性を高めることができる。本実施態様において、光反射部２０は、背中被覆部１１ａの上縁部中央と、左胸被覆部１１ｄにおけるループ１９の脇部分と、右胸被覆部１１ｅにおけるループ１９の脇部分とに設けて言う。光反射部２０は、本体部１１に反射プリントを施すことで設けている。
【００４１】
さらにまた、図５に示すように、本体部１１のウラ面側（内面側）には、内ポケット２１を設けており、この内ポケット２１に冷却材や発熱材（カイロ等）を収容することができるようにしている。これにより、着用式肩パッド１０の着用者５０が感じる暑さや寒さを軽減することが可能となっている。本実施態様において、内ポケット２１は、上述したストレッチメッシュを本体部１１のウラ面側（内面側）に縫着することで設けている。内ポケット２１は、ジッパー等のファスナーでその開口部を閉塞することができるようになっている。内ポケット２１を設ける箇所は、特に限定されないが、人は、首の後ろのやや下側を冷やされたり暖められたりすると、涼しさや温もりを感じやすい。このため、本実施態様においては、背中被覆部１１ａの中央部に内ポケット２１を設けている。
【００４２】
［締付ベルト］
続いて、締付ベルト１２について説明する。既に述べたように、締付ベルト１２は、本体部１１の締め付けを行うためのものとなっている。締付ベルト１２は、本体部１１の左側部分の締付を行う左側締付ベルト１２ａと、本体部１１の右側部分の締付を行う右側締付ベルト１２ｂとで構成されている。
【００４３】
図５に示すように、左側締付ベルト１２ａは、その基端側を背中被覆部１１ａの下縁中央部に固着されており（固着部αを参照。）、背中被覆部１１ａの左側のベルト通し用鞘部１７ａとガイドリング１８ａとを経て、着用者５０の左脇下を通り、左胸被覆部１１ｄのガイドリング１８ｃとベルト通し用鞘部１７ｃとを経て、左胸被覆部１１ｄの下縁部右端側から先端側が突き出た状態に設けられている。一方、右側締付ベルト１２ｂは、その基端側を背中被覆部１１ａの下縁中央部に固着されており（固着部αを参照。）、背中被覆部１１ａの右側のベルト通し用鞘部１７ｂとガイドリング１８ｂとを経て、着用者５０の右脇下を通り、右胸被覆部１１ｅのガイドリング１８ｄとベルト通し用鞘部１７ｄとを経て、右胸被覆部１１ｅの下縁部左端側から先端側が突き出た状態に設けられている。
【００４４】
左側締付ベルト１２ａの先端側と右側締付ベルト１２ｂの先端側には、左側締付ベルト１２ａ及び右側締付ベルト１２ｂの長さを調節可能な状態で連結するベルト連結手段２２が取り付けられている。このため、ベルト連結手段２２で左側締付ベルト１２ａと右側締付ベルト１２ｂとを連結し、左側締付ベルト１２ａと右側締付ベルト１２ｂの長さを調節することで、締付ベルト１２を締め付けた状態とすることができるようになっている。
【００４５】
既に述べたように、左側締付ベルト１２ａ及び右側締付ベルト１２ｂの基端部を背中被覆部１１ａに固着しているため、いずれか一方を強く引っ張っても、左側締付ベルト１２ａと右側締付ベルト１２ｂとの締付バランスが均等に保たれるようになっている。したがって、本体部１１を着用者５０の身体に密着させ、本体部１１が身体から浮き上がらない状態で着用式肩パッド１０を着用できるようになっており、本体部１１における左肩被覆部１１ｂや右肩被覆部１１ｃが着用者５０の身体に対してずれ動きにくくすることが可能となっている。背中被覆部１１ａに対して左側締付ベルト１２ａ及び右側締付ベルト１２ｂの基端部を固着する方法は、特に限定されないが、通常、縫着とされる。本実施態様においては、環縫いにより、背中被覆部１１ａに対して左側締付ベルト１２ａ及び右側締付ベルト１２ｂの基端部を縫着している。
【００４６】
左側締付ベルト１２ａ及び右側締付ベルト１２ｂは、必要な強度を有するものであれば、その素材を特に限定されないが、通常、非伸縮性の帯材又は紐材とされる。本実施態様においては、２５ｍｍ幅のナイロンテープを左側締付ベルト１２ａ及び右側締付ベルト１２ｂとして用いている。締付ベルト１２（左側締付ベルト１２ａ及び右側締付ベルト１２ｂ）は、左側締付ベルト１２ａを構成する部分と、右側締付ベルト１２ｂを構成する部分とに分断したものであってもよいが、本実施態様においては、左側締付ベルト１２ａと右側締付ベルト１２ｂとを連続する１本のベルトによって形成している。これにより、左側締付ベルト１２ａと右側締付ベルト１２ｂとを強い力で引っ張ったとしても、左側締付ベルト１２ａの基端部と背中被覆部１１ａとの固着部分や、右側締付ベルト１２ｂの基端部と背中被覆部１１ａとの固着部分が切れたり、左側締付ベルト１２ａや右側締付ベルト１２ｂが切断されたりしにくくすることが可能になる。
【００４７】
左側締付ベルト１２ａ及び右側締付ベルト１２ｂの先端側に取り付けるベルト連結手段２２は、左側締付ベルト１２ａの先端側と右側締付ベルト１２ｂの先端側とを、左側締付ベルト１２ａ及び右側締付ベルト１２ｂの長さを調節可能な状態で連結できるものであれば、特に限定されない。本実施態様においては、ベルト連結手段２２として、図６に示す両引きタイプのリリースバックルを用いている。図６は、本発明の着用式肩パッド１０におけるベルト連結手段２２の一例を示した図である。
【００４８】
このベルト連結手段２２（リリースバックル）は、図４に示すように、左側締付ベルト１２ａの先端側に取り付けられる雌型部材２２ａと、右側締付ベルト１２ｂの先端側に取り付けられる雄型部材２２ｂとで構成されており、雄型部材２２ａのプラグ部２２ａ１を雌型部材２２ｂのソケット部２２ｂ１に挿し込んで係合させることにより、図６に示すように、互いに連結されるものとなっている。雄型部材２２ａと雌型部材２２ｂの連結は、雄型部材２２ａのプラグ部２２ａ１における、雌型部材２２ｂのソケット部２２ｂ１から露出する部分（図６において網掛けハッチングで表わした部分）を押し込むことにより、解除することができるようになっている。
【００４９】
また、雌型部材２２ａの基端部（プラグ部２２ａ１が設けられた側とは逆側の端部）と雄型部材２２ｂの基端部（ソケット部２２ｂ１が設けられた側とは逆側の端部）には、それぞれ左側締付ベルト１２ａの先端側と右側締付ベルト１２ｂの先端側を巻き掛けた状態で保持するためのベルト巻掛部２２ａ２，２２ｂ２が設けられている。左側締付ベルト１２ａの先端部における折り返し部分（ベルト巻掛部２２ａ２から左側に折り返された部分）と、右側締付ベルト１２ｂの先端部における折り返し部分（ベルト巻掛部２２ｂ２から右側に折り返された部分）とを、図６の矢印に示すように、互いに離反する向き（左右）に引っ張ることにより、左側締付ベルト１２ａ及び右側締付ベルト１２ｂを締め付けることができるようになっている。
【００５０】
逆に、左側締付ベルト１２ａ及び右側締付ベルト１２ｂを緩める際には、ベルト巻掛部２２ａ２，２２ｂ２から左側締付ベルト１２ａ及び右側締付ベルト１２ｂをつまみ出して弛ませた後、その弛みが解消するように、左側締付ベルト１２ａの先端部における折り返されていない部分（折り返された部分の内面側に位置する部分）と、右側締付ベルト１２ｂの先端部における折り返されていない部分（折り返された部分の内面側に位置する部分）とを互いに離反する向き（左右）に引っ張るとよい。
【００５１】
［その他］
本発明の着用式肩パッド１０は、肩を保護する必要がある各種の用途で採用することができる。肩を保護する必要がある場面としては、荷物を配達又は運搬するときや、スポーツを行うときのほか、神輿を担ぐときや、リュックやランドセルを背負うときや、肩掛けカバンを肩に掛けるとき等が例示される。また、高所で作業を行う際には、「フルハーネス」と呼ばれる安全帯を着用することがあるところ、このフルハーネスを着用すると、両肩にベルトが掛け回された状態となるため、肩に負荷が掛かる。このフルハーネスの下側に本発明の着用式肩パッド１０を着用することもできる。本発明の着用式肩パッド１０は、衣服（下着やアウター等）の上側（外側）に着用することもできるし、素肌の上側（下着の内側）に着用することもできる。
【符号の説明】
【００５２】
１０    着用式肩パッド
１１    本体部
１１ａ  背中被覆部
１１ｂ  左肩被覆部
１１ｃ  右肩被覆部
１１ｄ  左胸被覆部
１１ｅ  右胸被覆部
１２    締付ベルト
１２ａ  左側締付ベルト
１２ｂ  右側締付ベルト
１３    クッション素材
１４    表地
１５    裏地
１６    パイピング処理部
１７    ベルト通し用鞘部
１８    外ポケット
１９    ループ
２０    光反射部
２１    内ポケット
２２    ベルト連結手段
２２ａ  雄型部材
２２ａ１  プラグ部
２２ａ２  ベルト巻掛部
２２ｂ  雌型部材
２２ｂ１  ソケット部
２２ｂ２  ベルト巻掛部
５０    着用者
α    固着部
【図１】
2020133070.tif 000003
【図２】
2020133070.tif 000004
【図３】
2020133070.tif 000005
【図４】
2020133070.tif 000006
【図５】
2020133070.tif 000007
【図６】
2020133070.tif 000008